(57)【要約】【課題】手を濡らす事なく簡単にペットの足を細部まで洗浄ができるペットの足洗浄器を提供する。【解決手段】軸が回転する回転駆動手段と、前記の軸に連結され回転する筒状容器と、該容器の内側にブラシを有することを特徴とする足の洗浄装置である。【選択図】図１
2011182770.tif 000002
【特許請求の範囲】
【請求項１】
軸が回転する回転駆動手段と前記の軸に連結され回転する筒状容器と該容器の内側にブラシを有し前記筒状容器と共に回転してペットの足を洗浄することを特徴とするペットの足の洗浄装置である。
【請求項２】
前記容器は空回りする水の飛散防止パッキンを有することを特徴とする請求項１に記載のペットの足の洗浄装置である。
【請求項３】
前記容器は内部に螺旋状に配置さたれたブラシを有することを特徴とする請求項１又は請求項２に記載のペットの足の洗浄装置である。
【請求項４】
前記容器は漏水防止パッキンを付属品として有することを特徴とする請求項１〜３のいずれか１項に記載のペットの足の洗浄装置である。
【発明の詳細な説明】
【技術分野】
【０００１】  発明は犬などのペットの足を洗浄するペットの足洗浄器に関する。
【背景技術】
【０００２】  ペットを外出させた後の汚れた足を洗浄する従来の足洗浄器としては特開２００８−８６２９４号公報に記載されたものがある。この足洗浄はペットの足と洗浄水とを入れる容器と該容器内に配置されたペットの足置き台と前記容器内の洗浄水に水流を発生させて該水流をペットの足に導く水流発生手段と洗浄水が前記容器の外に漏れ出ないようにする漏水防止手段とを備えて構成されていて器図５に示すように公報の解決手段とを備えたものである。
【先行技術文献】
【特許文献】
【０００３】
【特許文献１】特開２００８−８６２９４
【発明の概要】
【発明が解決しようとする課題】
【０００４】  特開２００８−８６２９４号に記載されている水流を利用した足洗浄器は指の間のような隙間には効果がなく強固な汚れを落とすには時間がかかり水流も強力な物が必要で装置が大型で重くなるという欠点があった。そこで本発明は手を濡らさずに外出先などどこでも簡単にペットの足をブラシにより細部まで洗える足洗浄器を提供することを目的としてなされたものである。
【課題を解決するための手段】
【０００５】  軸が回転する回転駆動手段と、前記の軸に連結され回転する筒状容器と、該容器の内側にブラシを有することを特徴とするペットの足の洗浄装置である。【０００６】  前記容器は空回りする水の飛散防止パッキンを有することを特徴とするペットの足の洗浄装置である。【０００７】  前記容器は内部に螺旋状に配置さたれたブラシを有することを特徴とするペットの足の洗浄装置である。【０００８】  前記容器は漏水防止パッキンを付属品として有することを特徴とするペットの足の洗浄装置である
【発明の効果】
【０００９】  本発明によれば回転駆動機構が洗浄液の入ったブラシを有する容器を回転させることにより人の手を濡らすことなくペットの足の洗浄ができる。さらには簡単なスイッチを設けてこのスイッチ操作で洗浄ができる。【００１０】  前記容器は遠心力による水の飛散を抑えるパッキンにより床を濡らすことなくどこでも洗浄ができる。該パッキンは空回りする構造であり容器が回転してもパッキン自体は回転しない為、より水の飛散を抑えられ、さらにはペット自身の負担や違和感を軽減できる。【００１１】  該容器の内部に螺旋状に配置されたブラシは毛を下から上へ掻き揚げ毛の奥まで簡単に洗浄できる。【００１２】  付属の漏水防止パッキンを外蓋の下に装着し密閉することにより容器に洗浄液を入れたまま持ち運びができ外出先でも足の洗浄が行える。
【図面の簡単な説明】
【００１３】
【図１】この発明の実施形態を示す詳細断面図である。
【図２】この発明の実施形態を示す斜視図である。
【図３】ブラシとシートの実施形態を示す斜視図である。
【図４】飛散防止パッキンの実施形態を示す斜視図である。
【図５】特開２００８−８６２９４号に記載された従来の足洗浄器の斜視図である。
【発明を実施するための形態】
【００１４】  プラスチック製の洗浄器本体１は、下部に電池２とモーター３を有する駆動機構部と、上部にスイッチ１０を有する容器４を収納する収納部で構成されている。下部と上部の間は仕切板１１で仕切られておりモーター３の軸のみが仕切板１１を貫通している。モーター３の軸には六角ジャック９が固定されている。洗浄液を入れるプラスチック製の容器４の底には六角の凹みがありモーター３の軸に固定されている六角ジャック９と連結される。前記容器４の内部には細い樹脂製のブラシ５を螺旋状に植毛したシリコン製のシート６を有している。ブラシ５は回転した時に螺旋が上昇する方向で植毛されている。さらに容器４の上部にはシリコン製の飛散防止パッキン７を有しドーナツ状のプラスチック製の外蓋８をネジ込んで押える。飛散防止パッキン７と外蓋８の間には隙間があり飛散防止パッキン７は空回りする。該飛散防止パッキン７は８等分に切り込みが施されており、さらにはスムーズに空回りさせる為プラシチック製のドーナツ状の枠を有している。及び本装置はシリコン製の漏水防止パッキン１２を付属品として有している。
【００１５】  本装置は本体１から洗浄液を入れる容器４を引き抜き外蓋８と飛散防止パッキン７を外す。容器４に洗浄液を入れ飛散防止パッキン７をセットし外蓋８で締め込む。この洗浄液の入った容器４を本体１の六角ジャック９に差し込む。使用する際は該本体１を片手で持ち飛散防止パッキン７を通して洗浄液の入った容器４にペットの足を挿入し指先でスイッチ１０を押すと容器４とブラシ５が共に回転しブラシによる足の洗浄ができる。持ち運ぶ際は洗浄液を入れた容器４の外蓋８の下に付属の漏水防止パッキン１２を装着し外蓋８で密閉する。
【００１６】  この実施形態によれば電池２とモーター３で動作する為操作はスイッチ１０を押すだけの極めて簡単な作業でブラシ５による洗浄が行える。使用中は遠心力による水の飛散を飛散防止パッキン７が飛散を抑えどこでも洗浄することができる。該飛散防止パッキン７は空回りするのでペット自身の負担と違和感が軽減される。又、８等分の切り込みが施されている為足の太さの違いを解消できる。
【００１７】  洗浄液を入れる容器４が有する内部のブラシ５は回転すると上昇する方向の螺旋状に配置されており足の毛を下から上へ掻き揚げ毛の奥まで、及び指の間まで入り込み細部まで洗浄する事ができる。洗浄液を入れる容器４は本体１から取り外して清掃でき本体１が水に濡れることを防ぐ。さらにはブラシ５を植毛したシート６も容器４から取り出して清掃できる。
【００１８】  外出の際は付属品の漏水防止パッキン１２を外蓋８の下に装着して密閉する。これにより容器４に洗浄液を入れたまま持ち運びができ外出先などでも洗浄が行える。
【００１９】  容器４を回転させる駆動機構はゼンマイなどを利用した機械式、又は手動式でも可能である。電池２は充電池でもよい。容器４は本体１を防水構造とし回転軸に直接固定してもよい。ブラシ５は容器４に直接取り付けてもよい。容器４は円筒形のほか多角形筒体でもよい。本体１には持ちやすい取っ手などの把持手段、あるいは肩から掛ける紐などを取り付けてもよい。回転軸の先端を容器４の中心軸に嵌め込んで連結しているが容器４の底辺の外周に歯車を設け歯車駆動方式でもよい。飛散防止パッキン７の切込みは８等分でなくてもよい。さらには伸縮する柔らかい素材に穴を開けた構造でもよい。ブラシ５を植毛するシート６、飛散防止パッキン、および漏水防止パッキン１２はゴムなどの弾力のある柔らかい素材であれば良い。本体１、容器４、外蓋８はプラスチック以外の素材であっても良い。ブラシ５の素材は柔らい樹脂、および動物の毛なども使用できる。
【符号の説明】
【００２０】  １  本体
２  電池
３  モーター
４  容器
５  ブラシ
６  シリコンシート
７  飛散防止パッキン
８  外蓋
９  六角ジャック
１０  スイッチ
１１  仕切板
１２  漏水防止パッキン
【図１】
2011182770.tif 000003
【図２】
2011182770.tif 000004
【図３】
2011182770.tif 000005
【図４】
2011182770.tif 000006
【図５】
2011182770.tif 000007
【手続補正書】
【提出日】平成22年9月14日(2010.9.14)
【手続補正１】
【補正対象書類名】特許請求の範囲
【補正対象項目名】全文
【補正方法】変更
【補正の内容】
【特許請求の範囲】
【請求項１】
軸が回転する回転駆動手段と前記の軸に連結され回転する持ち運び可能な筒状容器と該筒状容器の内側に前記筒状容器と共に回転してペットの足を洗浄するブラシを有し、持ち運び時に前記筒状内の洗浄液の漏水を防止する漏水防止パッキンと洗浄時に前記筒状内の洗浄液の飛散を防止する飛散防止パッキンを備えたことを特徴とするペットの足の洗浄装置。
【請求項２】
前記飛散防止パッキンの周端部が前記筒状容器の内壁と間隔を保持して空回り可能に配置されたことを特徴とする請求項１に記載されたペットの足の洗浄装置。
【請求項３】
前記ブラシは前記筒状容器の回転方向下流側が前記筒状容器の開口に向かうように螺旋状に配置されたことを特徴とする請求項１又は請求項２にのいずれかに記載されたペットの足の洗浄装置。
【請求項４】
漏水防止パッキンは前記筒状容器の開口に着脱自在に取り付けられることを特徴とする請求項１ないし３のいずれか１項に記載されたペットの足の洗浄装置で。
【手続補正２】
【補正対象書類名】明細書
【補正対象項目名】０００４
【補正方法】変更
【補正の内容】
【０００４】  特開２００８−８６２９４号に記載されている水流を利用した足洗浄器は指の間のような隙間には効果がなく、強固な汚れを落とすには時間がかかり水流も強力な物が必要で装置が大型で重くなるという欠点があった。そこで本発明は持ち運び可能で外出先などどこでも人の手を濡らすことなく簡単にペットの足をブラシにより細部まで洗える足洗浄器を提供するすることを目的としてなされたものである。
【手続補正３】
【補正対象書類名】明細書
【補正対象項目名】０００５
【補正方法】変更
【補正の内容】
【０００５】本発明は、
（１）軸が回転する回転駆動手段と前記軸に連結され回転する持ち運び可能な筒状容器と該容器の内側に前記筒状容器と共に回転してペットの足を洗浄するブラシを有し、持ち運び時に前記筒状容器の洗浄液の漏水を防止する漏水防止パッキンと洗浄時に前記筒状容器内の洗浄液の飛散を防止する飛散防止パッキンとを備えたことを特徴とするペットの足の洗浄装置である
【手続補正４】
【補正対象書類名】明細書
【補正対象項目名】０００６
【補正方法】変更
【補正の内容】
【０００６】  さらに本発明は、
（２）前記飛散防止パッキンの周端部が前記筒状容器の内壁と間隔を保持して空回り可能に配置されたことを特徴とする上記（１）に記載されたペットの足の洗浄装置である。
【手続補正５】
【補正対象書類名】明細書
【補正対象項目名】０００７
【補正方法】変更
【補正の内容】
【０００７】また本発明は
（３）前記ブラシは前記筒状容器の回転方向下流側が前記筒状容器の開口に向かうように螺旋状に配置されたことを特徴とする上記（１）又は（２）のいずれかに記載されたペットの足の洗浄装置である。
【手続補正６】
【補正対象書類名】明細書
【補正対象項目名】０００８
【補正方法】変更
【補正の内容】
【０００８】さらにまた本発明は、
（４）漏水防止パッキンは前記筒状容器の開口に着脱自在に取り付けられることを特徴とする上記（１）ないし（３）のいずれか１項に記載されたペットの足の洗浄装置である。
【手続補正書】
【提出日】平成22年12月21日(2010.12.21)
【手続補正１】
【補正対象書類名】特許請求の範囲
【補正対象項目名】全文
【補正方法】変更
【補正の内容】
【特許請求の範囲】
【請求項１】
軸が回転する回転駆動手段と前記の軸に連結され回転する筒状容器と該筒状容器の内側に前記筒状容器と共に回転してペットの足を洗浄するブラシを有し、前記筒状容器とドーナツ状の外蓋の間には、洗浄時に使用するペットの足を入れるための切込みのある、回転する前記筒状容器の遠心力による洗浄液の飛散を防止する為の飛散防止パッキンと、持ち運び時に使用する前記筒状容器内の洗浄液の漏水を防止する為のフタである漏水防止パッキンを有していることを特徴とする持ち運び可能なペットの足の洗浄装置。
【請求項２】
前記飛散防止パッキンの周端部が前記筒状容器の内壁と間隔を保持して空回り可能に配置されたことを特徴とする請求項１に記載されたペットの足の洗浄装置。
【請求項３】
前記ブラシは前記筒状容器の回転方向下流側が前記筒状容器の開口に向かうように螺旋状に配置されたことを特徴とする請求項１又は請求項２にのいずれかに記載されたペットの足の洗浄装置。
【請求項４】
漏水防止パッキンは前記筒状容器の開口に着脱自在に取り付けられることを特徴とする請求項１ないし３のいずれか１項に記載されたペットの足の洗浄装置。